(57)【要約】      （修正有）【課題】タッチパネル機器の側面のスイッチを簡易に操作できるタッチパネル機器用ポーチを提供する。【解決手段】平板状の裏側シート２Ｂに対して、操作窓を覆うように外周壁部１２Ｂを立ち上げて天板部１２Ｃに連接する凸面形状部１５をもつ構成の操作フィルム１２を設けた表側シート２Ａを重ね合せた袋状のポーチ本体を形成することにより、ユーザはポーチ本体に収納されたタッチパネル機器１０を天板部１２Ｃを用いて上下方向に操作することによりタッチパネル機能を実行させることができると共に、タッチパネル機器１０を外周壁部１２Ｂを用いて側面方向に操作することによりスイッチ動作をさせることができる。【選択図】図３
0003211945.tif 000002
【実用新案登録請求の範囲】
【請求項１】
表側シート及び裏側シートを重ね合せると共に、その周縁部を挿入口を除いて袋状に形成してタッチパネル機器を上記挿入口から挿入保持するポーチ本体を有し、
上記挿入された上記タッチパネル機器のタッチパネルはユーザが上記表側シートの中央部分に形成された操作窓から操作フィルムを介して目視しながら操作することにより上記タッチパネル機器を外部からの損傷から守ると共に、情報処理動作をさせることができ、
上記操作フィルムは、上記操作窓の上記周縁部において外周縁部が上記表側シート及び上記裏側シート間に挟み込み保持されると共に、当該挟み込み保持された外周縁部から上記操作窓を覆うように外周壁部を立ち上げて天板部に連接する凸面形状部をもつ構成を有し、
ユーザは、上記ポーチ本体に挿入された上記タッチパネル機器のタッチパネルを上記操作フィルムの上記天板部を介して上
下方向にタッチ操作でき、かつ上記タッチパネル機器の側面位置に設けられたスイッチを上記操作フィルムの上記外周壁部を介して側面方向からタッチ操作できるようにした
ことを特徴とするタッチパネル機器用ポーチ。
【請求項２】
上記裏側シートの裏側表面に、小物入れ用上側シート及び小物入れ用下側シート並びに側面シートを有する小物入れを設けた
ことを特徴とする請求項１に記載のタッチパネル機器用ポーチ。
【請求項３】
上記裏側シートの裏側表面又は小物入れ用下側シートの裏側表面は、必要に応じて選択された意匠図柄をインクによって転写印刷することにより上記ポーチ本体をユーザの好みに沿った趣向のものに置き換えることができる
ことを特徴とする請求項１又は２に記載のタッチパネル機器用ポーチ。
【請求項４】
上記表側シートの上記操作窓の上記周縁部の上面に、必要に応じて選択された意匠図柄をインクによって転写印刷することによって上記ポーチ本体をユーザの好みに沿った趣向のものに置き換えることができる
ことを特徴とする請求項１に記載のタッチパネル機器用ポーチ。
【考案の詳細な説明】
【技術分野】
【０００１】
本発明はタッチパネル機器用ポーチに関し、特に収納しているタッチパネル機器を操作し易くしたものである。
【背景技術】
【０００２】
従来、タッチパネル機器としてのスマートフォンを、その操作面を簡便に操作できるように袋状ポーチに収納して、外部からの与えられる損傷から保護するようなタッチパネル機器用ポーチが提案されている（特許文献１参照）。
【先行技術文献】
【特許文献】
【０００３】
【特許文献１】実用新案登録第３１９８７０３号公報
【考案の概要】
【考案が解決しようとする課題】
【０００４】
ところが、この種のタッチパネル機器用ポーチは、通常内部に収納されているタッチパネル機器のタッチパネルを操作する際に、外部からの損傷を回避するために設けられていた保護シートが、タッチパネルの一部の操作子を操作し難くくしている構造になっているため、タッチパネル機器用ポーチとして実用性が不十分な問題がある。
【０００５】
本考案は以上の点を考慮してなされたもので、タッチパネル機器に対するタッチ機能を一段と改善したタッチパネル機器用ポーチを提案しようとするものである。
【課題を解決するための手段】
【０００６】
かかる課題を解決するため本考案においては、表側シート２Ａ及び裏側シート２Ｂを重ね合せると共に、その周縁部を挿入口３を除いてミシン糸４で縫い合せることにより袋状に形成してタッチパネル機器１０を挿入口３から挿入保持するポーチ本体５を有し、挿入されたタッチパネル機器１０のタッチパネルはユーザが表側シート２Ａの中央部分に形成された操作窓１１から操作フィルム１２を介して目視しながら操作することによりタッチパネル機器１０を外部からの損傷から守ると共に、情報処理動作をさせることができ、操作フィルム１２は、操作窓１１の周縁部において外周縁部１２Ａが表側シート２Ａ及び裏側シート２Ｂ間に挟み込み保持されると共に、当該挟み込み保持された外周縁部１２Ａから操作窓１１を覆うように外周壁部１２Ｂを立ち上げて天板部１２Ｃに連接する凸面形状部１５をもつ構成を有し、ユーザは、ポーチ本体５に挿入されたタッチパネル機器１０のタッチパネル１３を操作フィルム１２の天板部１２Ｃを介して上下方向にタッチ操作でき、かつ上記タッチパネル機器１０の側面位置に設けられたスイッチ２０を外周壁部１２Ｂを介して側面方向からタッチ操作できるようにした。
【考案の効果】
【０００７】
本考案によれば、平板状の裏側シートに対して、操作窓を覆うように外周壁部を立ち上げて天板部に連接する凸面形状部をもつ構成の操作フィルムを設けた表側シートを重ね合せた袋状ポーチ本体を形成することにより、ユーザはポーチ本体に収納されたタッチパネル機器を天板部を用いて上下方向に操作することによりタッチパネル機能を実行させることができると共に、タッチパネル機器を外周壁部を用いて側面方向に操作することによりスイッチ動作をさせることができる。
【図面の簡単な説明】
【０００８】
【図１】本考案によるタッチパネル機器用ポーチの一実施の形態を示す斜視図である。
【図２】図１のＡ−Ａ断面構造を示す断面図である。
【図３】（Ａ）、（Ｂ）及び（Ｃ）は操作フィルムの全体構成を示す斜視図、Ｂ−Ｂ断面図及びスイッチ操作の説明に供する部分的断面図である。
【図４】裏面シートの説明に供する斜視図である。
【図５】他の実施の形態（１）を示す略線的斜視図である。
【図６】他の実施の形態（２）を示す略線的斜視図である。
【考案を実施するための形態】
【０００９】
以下図面について、本考案の一実施の形態を詳述する。
【００１０】
（１）実施の形態
図１において、１は全体としてタッチパネル機器用ポーチを示し、図２にＡ−Ａ断面構造を示すように、表側シート２Ａ及び裏側シート２Ｂを互いに重ね合せ、上端の挿入口３の部分を残して下端縁から左及び右側縁に亘ってミシン糸４によって縫い付けることにより袋型のポーチ本体５を形成している。
【００１１】
表側シート２Ａ及び裏側シート２Ｂは合成樹脂材料でなるシート部材によって構成されており、これにより挿入口３からタッチパネル機器であるスマートフォン１０を表側シート２Ａと裏側シート２Ｂ間に挿入するようになされている。
【００１２】
表側シート２Ａの中央部分には長方形状の操作窓１１が設けられ、この操作窓１１を内側から覆うように設けられた操作フィルム１２（ミシン糸４Ｘによって表側シート２Ａに縫い付けられている）を介してユーザが挿入口３から挿入されたスマートフォン１０のタッチパネル１３でなる操作面を操作できるようになされている。
【００１３】
ここで操作フィルム１２は、裏側シート２Ｂが図２に示すように、水平面形状を構成しているのに対して、外周縁部１２Ａが操作窓１１の縁部に沿ってミシン糸４Ｘによって表側シート２Ａに縫い付けられることにより水平面状に固定されていると共に、その内側部分が裏側シート２Ｂから上方に離れて突出するような凸面形状部１５を形成している。
【００１４】
ここで操作フィルム１２の凸面形状部１５は、図３に示すように、外周縁部１２Ａの内側縁から外周壁部１２Ｂが上方に立ち上がって天板部１２Ｃに連接し、これにより全体として凸面形状部１５によって裏側シート２Ｂから上方位置に平面状の天板部１２Ｃを突出支持している。
【００１５】
この実施の形態の場合、操作フィルム１２の凸面形状は、ＰＥＴ材料、ＰＵ材料、透明エラストマ材料などの柔軟性透明素材を、真空成形、圧空成形、熱変形成形などの射出成形加工することにより成形する。
【００１６】
かくしてスマートフォン１０は挿入口３を通って表側シート２Ａ及び裏側シート２Ｂ間に挿入されたとき、図３（Ｃ）に示すように、スマートフォン１０の表面側のタッチパネル１３が操作フィルム１２の天板部１２Ｃに近接するように対向するのに対して、スマートフォン１０の裏面１６が裏側シート２Ｂに近接対向し、これによりスマートフォン１０が裏側シート２Ｂと操作フィルム１２の凸面形状部１５間に挟み込まれるように固着される。
【００１７】
この実施の形態の場合、図１に示すように、ポーチ本体５はストラップ用フック１５Ａ及び１５Ｂ（又はハト目）によって両端が接続されたストラップ１６によって持ち運ばれる（短い場合はユーザが手に持ち、長い場合は肩に掛ける）。
【００１８】
またこの実施の形態の場合、ポーチ本体５の下端面には充電プラグ・イヤホンジャック用穴２１が設けられて、この充電プラグ・イヤホンジャック用穴２１を介して外部から差し込まれたプラグによってポーチ本体５内に挿入されたスマートフォン１０を充電したり、通話をしたりできるようになされている。
【００１９】
以上の構成に加えて、この実施の形態の場合、タッチパネル機器用ポーチ１は図４に示すように裏側シート２Ｂの表面に意匠画印刷面２５を形成している。
【００２０】
この意匠画印刷面２５は図１〜図３に示す構成のタッチパネル機器用ポーチ１を完成させた後に、インクジェットプリンタによって意匠画を印刷することを目的として用意されており、この目的を達成するために意匠画印刷面２５は印刷用インクが印刷しやすい合成皮革を表側シート２Ａに重ねるように縫製されており、この実施の形態の場合、当該意匠画印刷面２５の表面の色彩はインクの転写がしやすい色として白色が選定されている。
【００２１】
ここで意匠画印刷面２５に印刷される意匠画としては、必要に応じて多彩な絵柄やデザインを選定したり、写真を選定したりすることができ、要はユーザ（一般的な需要者）に当該タッチパネル機器であるスマートフォン１０を自分の身の手回り品として愛用したくなるような感覚を持たせるような意匠図柄に選定されている。
【００２２】
以上の構成において、操作フィルム１２は図３（Ａ）に示すように、外周縁部１２Ａが表側シート２Ａの操作窓１１を形成する外周縁部１２Ａによって裏側シート２Ｂに縫い付けられることにより、凸面形状部１５の天板部１２Ｃがスマートフォン１０のタッチパネル１３に近接対向すると共に、凸面形状部１５と外周縁部１２Ａとの間に両者を連接する外周壁部１２Ｂが形成されているので、表側シート２Ａと裏側シート２Ｂとの間に挿入されたスマートフォン１０は、図３（Ｃ）に示すように、タッチパネル１３でなる操作面を操作フィルム１２の凸面形状部１５の天板部１２Ｃに対向させると共に、スマートフォン１０の側面に形成されているスイッチ２０が操作フィルム１２の外周壁部１２Ｂと近接対向する状態になる。
【００２３】
かくしてユーザ２４は操作フィルム１２の凸面形状部１５を介してスマートフォン１０のタッチパネル１３を上下方向に操作できると共に、操作フィルム１２の外周壁部１２Ｂと近接対向する位置にあるスマートフォン１０のスイッチ２０を操作フィルム１２を単純に横方向に操作することにより、スイッチオン・オフ動作できることになる。
【００２４】
このようにユーザ２４がスマートフォン１０のタッチパネル１３及びスイッチ２０を操作するにつき、スマートフォン１０は水平面形状に裏側シート２Ｂ上に挿入された状態において、操作フィルム１２の凸面形状部１５内に位置するように装着されるスマートフォン１０のタッチパネル１３を何ら障害を受けることなく操作できるのに加えて、スマートフォン１０の側面に設けられたスイッチ２０を操作フィルム１２の外周縁部１２Ａから上方に立ち上がる外周壁部１２Ｂを介して何ら障害を受けることなく操作することができる。
【００２５】
かくして上述の構成によれば、従来スマートフォン１０に対する操作に支障があった側面のスイッチ２０の操作を支障なく操作することができるようなタッチパネル機器用ポーチ１を実現できる。
【００２６】
因に、従来の構成は、操作フィルム１２が、凸面形状に成形されずに、裏側シート２Ｂと同じように平面形状に成形されていたため、ポーチ内に挿入されたスマートフォン１０の側面に突出するように設けられているスイッチ２０を操作しようにも操作フィルム１２が操作の邪魔になる問題があったが、これを図３の構成によれば解決できた。
【００２７】
（２）他の実施の形態
（２−１）図５は他の実施の形態を示すもので、図１との対応部分に同一符号を付して示すように、ポーチ本体５の裏側シート２Ｂ側にさらに小物入れ３０を形成する。
【００２８】
この場合小物入れ３０の表側シート３０Ａ及び裏側シート３０Ｂの側面シート３１は２枚の折りたたみシート部材３１Ａ及び３１Ｂによって構成され、これにより表側シート３０Ａ及び裏側シート３０Ｂによって形成される挿入口３２が開閉されたとき、折りたたみシート部材３１Ａ及び３１Ｂが矢印ａで示すように折りたたみ動作することにより、小物入れ３０の体積が必要に応じて大きくなるようになされている。
【００２９】
なお、この実施の形態の場合は、図４について上述した意匠画印刷面２５は、小物入れ３０の裏側シート３０Ｂの裏側表面にもうけるようにする。
【００３０】
図５の構成によれば、スマートフォン１０を収納するタッチパネル機器用ポーチ１の機能に加えて小物入れ３０により、小物として例えば定期券や眼鏡やヘッドフォンなどを収納するポケットとしての機能を実現でき、これによりタッチパネル機器用ポーチ１の実用性を拡大することができる。
【００３１】
（２−２）図６は図５の変形例を示すもので、図５との対応部分に同一符号を付して示すように、この実施の形態の場合、図５における２枚の折りたたみシート部材３１Ａ及び３１Ｂのうち、裏側の折りたたみシート部材３１Ｂを省略した構成を有する。
【００３２】
この場合残った折りたたみシート部材３１Ａは矢印ｂで示すように挿入口３２の開閉動作として少し外向面積は小さくなるが、開閉動作が確実になることにより、ポーチ本体５の一部の小物入れとして取り扱いがしやすいタッチパネル機器用ポーチ１を実現できる。
【００３３】
（２−３）上述の実施の形態においては、表側シート２Ａ及び裏側シート２Ｂの一体化、並びに操作フィルム１２及び表側シート２Ａとの一体化するにつき、ミシン糸４並びに４Ｘを用いたが、これに代え、装着プレスや超音波溶着を用いるようにしても、上述の場合と同様の効果を得ることができる。
【００３４】
（２−４）上述の実施の形態においては、ポーチ本体５として合成樹脂材料で構成した場合について述べたが、これに代え布材料を用いるようにしても良い。
【００３５】
（２−５）また特には図示説明はしないが、ポーチ本体５は、収納したスマートフォン１０のカメラ機能を実行させるためカメラ穴を有する。
【００３６】
（２−６）図４の実施の形態においては、裏側シート２Ｂの裏面に意匠画印刷面２５を設けたが、これに加えて図１に示す表側シート２Ａの操作窓１１の周囲にある表面部分に、同じような意匠効果を生ずる意匠画を印刷するようにしても良い。
【産業上の利用可能性】
【００３７】
本考案はスマートフォン等のタッチパネル機器用ポーチとして利用できる。
【符号の説明】
【００３８】
１……タッチパネル機器用ポーチ、２Ａ、２Ｂ……表側シート、裏側シート、３、３２……挿入口、４、４Ｘ……ミシン糸、５……ポーチ本体、１０……スマートフォン、１１……操作窓、１２……操作フィルム、１３……タッチパネル、１６……ストラップ、２１……充電プラグ・イヤホンジャック用穴、２５……意匠画印刷面。
【図１】
0003211945.tif 000003
【図２】
0003211945.tif 000004
【図３】
0003211945.tif 000005
【図４】
0003211945.tif 000006
【図５】
0003211945.tif 000007
【図６】
0003211945.tif 000008